(57)【特許請求の範囲】
【請求項１】
建物の扉のセキュリティ解除信号を出力するセキュリティ解除装置であって、
建物内の予約された設備と、当該設備を予約した利用者のＩＤと、当該設備を予約した予約開始時刻及び予約終了時刻と、を関連付けた第一のデータベースと、前記ＩＤをグループ分けして形成されたタグ種別データ毎に、前記設備毎における前記認証装置に対応する前記扉のセキュリティ解除の可否を関連付けた第二のデータベースと、前記タグ種別データと、前記ＩＤと、前記認証装置に対応する前記扉のセキュリティ解除の可否と、を関連付けた第三のデータベースと、を備える予約内容記憶部と、
前記扉に対応して設けられた認証装置から、利用者のＩＤを取得するＩＤ取得部と、
前記予約開始時刻を経過した場合に、前記第一のデータベース及び前記第二のデータベースに基づいて前記第三のデータベースを書き換えるとともに、前記予約終了時刻を経過した場合に、前記第一のデータベースに基づいて前記第三のデータベースを書き換えるデータ管理部と、
取得された前記利用者のＩＤと、前記第三のデータベースと、に基づいて、前記利用者のＩＤの取得に用いられた認証装置に対応する前記扉のセキュリティを解除するか否かを判定するセキュリティ解除判定部と、
セキュリティを解除すると判定された場合に、対応する前記扉にセキュリティ解除信号を出力するセキュリティ解除信号出力部と、
を備えることを特徴とするセキュリティ解除装置。
【請求項２】
前記タグ種別データとして、前記利用者は、内部者と外部者とに区分けされており、
前記第二のデータベースは、前記内部者及び前記外部者毎に、前記設備を予約した場合及び予約しない場合における前記認証装置に対応する前記扉に対するセキュリティ解除の可否を関連付けたものであり、
前記セキュリティ解除判定部は、
前記利用者が内部者である場合には、建物内の設備の出入口に設けられた扉以外の扉に関して、予約した時間帯に関わらずにセキュリティを解除すると判定するとともに、前記設備の出入口に設けられた扉に関して、前記利用者のＩＤ及び前記第三のデータベースに基づいて、前記利用者のＩＤの取得に用いられた認証装置に対応する前記扉のセキュリティを解除するか否かを判定し、
前記利用者が外部者である場合には、記憶された前記設備、前記利用者のＩＤ及び前記第三のデータベースに基づいて、前記利用者のＩＤの取得に用いられた認証装置に対応する前記扉のセキュリティを解除するか否かを判定する
ことを特徴とする請求項１に記載のセキュリティ解除装置。
【請求項３】
建物の扉のセキュリティ解除信号を出力するためにコンピュータを、
建物内の予約された設備と、当該設備を予約した利用者のＩＤと、当該設備を予約した予約開始時刻及び予約終了時刻と、を関連付けた第一のデータベースと、前記ＩＤをグループ分けして形成されたタグ種別データ毎に、前記設備毎における前記認証装置に対する前記扉のセキュリティ解除の可否を関連付けた第二のデータベースと、前記タグ種別データと、前記ＩＤと、前記認証装置に対応する前記扉のセキュリティ解除の可否と、を関連付けた第三のデータベースと、を備える予約内容記憶部、
前記扉に対応して設けられた認証装置から、利用者のＩＤを取得するＩＤ取得部、
前記予約開始時刻を経過した場合に、前記第一のデータベース及び前記第二のデータベースに基づいて前記第三のデータベースを書き換えるとともに、前記予約終了時刻を経過した場合に、前記第一のデータベースに基づいて前記第三のデータベースを書き換えるデータ管理部、
取得された前記利用者のＩＤと、前記第三のデータベースと、に基づいて、前記利用者のＩＤの取得に用いられた認証装置に対応する前記扉のセキュリティを解除するか否かを判定するセキュリティ解除判定部、及び、
セキュリティを解除すると判定された場合に、対応する前記扉にセキュリティ解除信号を出力するセキュリティ解除信号出力部、
として機能させることを特徴とするセキュリティ解除プログラム。
【請求項４】
前記タグ種別データとして、前記利用者は、内部者と外部者とに区分けされており、
前記第二のデータベースは、前記内部者及び前記外部者毎に、前記設備を予約した場合及び予約しない場合における前記認証装置に対応する前記扉に対するセキュリティ解除の可否を関連付けたものであり、
前記セキュリティ解除判定部は、
前記利用者が内部者である場合には、建物内の設備の出入口に設けられた扉以外の扉に関して、予約した時間帯に関わらずにセキュリティを解除すると判定するとともに、前記設備の出入口に設けられた扉に関して、前記利用者のＩＤ及び前記第三のデータベースに基づいて、前記利用者のＩＤの取得に用いられた認証装置に対応する前記扉のセキュリティを解除するか否かを判定し、
前記利用者が外部者である場合には、記憶された前記設備、前記利用者のＩＤ及び前記第三のデータベースに基づいて、前記利用者のＩＤの取得に用いられた認証装置に対応する前記扉のセキュリティを解除するか否かを判定する
ことを特徴とする請求項３に記載のセキュリティ解除プログラム。
【発明の詳細な説明】
【技術分野】
【０００１】
本発明は、建物の扉のセキュリティ解除信号を出力するセキュリティ解除装置及びセキュリティ解除プログラムに関する。
【背景技術】
【０００２】
従来、建物のセキュリティに関して、当該建物の利用者を通行パターンで区分けし、通行パターンに基づいて建物内の扉ごとに通行許可／不許可を設定する入退室管理装置が開示されている（特許文献１参照）。
【先行技術文献】
【特許文献】
【０００３】
【特許文献１】特開２００５−１７１６１９号公報
【発明の概要】
【発明が解決しようとする課題】
【０００４】
従来の入退室管理装置は、管理者によって設定された通行パターンを記憶し、この通行パターンを用いて扉のセキュリティを解除する。しかし、従来の入退室管理装置は、一時的に建物の扉を通過したい利用者に対して扉のセキュリティ解除権を付与するためには、そのたびに管理者が対応しなくてはならないという問題を有している。
【０００５】
本発明は、前記した問題を解決すべく創案されたものであり、建物の利用者に対して好適なセキュリティ解除を行うことが可能なセキュリティ解除装置及びセキュリティ解除プログラムを提供することを課題とする。
【課題を解決するための手段】
【０００６】
前記課題を解決するため、本発明は、建物の扉のセキュリティ解除信号を出力するセキュリティ解除装置であって、建物内の予約された設備と、当該設備を予約した利用者のＩＤと、当該設備を予約した予約開始時刻及び予約終了時刻と、を関連付けた第一のデータベースと、前記ＩＤをグループ分けして形成されたタグ種別データ毎に、前記設備毎における前記認証装置に対応する前記扉のセキュリティ解除の可否を関連付けた第二のデータベースと、前記タグ種別データと、前記ＩＤと、前記認証装置に対応する前記扉のセキュリティ解除の可否と、を関連付けた第三のデータベースと、を備える予約内容記憶部と、前記扉に対応して設けられた認証装置から、利用者のＩＤを取得するＩＤ取得部と、前記予約開始時刻を経過した場合に、前記第一のデータベース及び前記第二のデータベースに基づいて前記第三のデータベースを書き換えるとともに、前記予約終了時刻を経過した場合に、前記第一のデータベースに基づいて前記第三のデータベースを書き換えるデータ管理部と、取得された前記利用者のＩＤと、前記第三のデータベースと、に基づいて、前記利用者のＩＤの取得に用いられた認証装置に対応する前記扉のセキュリティを解除するか否かを判定するセキュリティ解除判定部と、セキュリティを解除すると判定された場合に、対応する前記扉にセキュリティ解除信号を出力するセキュリティ解除信号出力部と、を備えることを特徴とする。
【発明の効果】
【０００７】
本発明によれば、建物の利用者に対して好適なセキュリティ解除を行うことができる。
【図面の簡単な説明】
【０００８】
【図１】本発明の第一の実施形態に係るセキュリティ解除装置を備えたセキュリティ解除システムを説明するための模式図である。
【図２】本発明の第一の実施形態に係るセキュリティ解除装置を示すブロック図である。
【図３】（ａ）は初期データベースの一例を示す図、（ｂ）は予約データベースの一例を示す図である。
【図４】（ａ）は解除許可用データベースの一例を示す図、（ｂ）は判定用データベースの一例を示す図である。
【図５】本発明の第一の実施形態に係るセキュリティ解除装置の動作例について説明するためのフローチャートである。
【図６】本発明の第二の実施形態に係るセキュリティ解除装置を示すブロック図である。
【図７】（ａ）は、予約時間帯データベースの一例を示す図、（ｂ）は、予約時間外データベースの一例を示す図である。
【図８】本発明の第二の実施形態に係るセキュリティ解除装置の動作例を説明するためのフローチャートである。
【図９】本発明の第三の実施形態に係るセキュリティ解除装置を備えたセキュリティ解除システムを説明するための模式図である。
【図１０】初期データベースの一例を示す図である。
【図１１】予約データベースの一例を示す図である。
【図１２】判定用データベースの一例を示す図である。
【発明を実施するための形態】
【０００９】
以下、本発明の実施形態について、適宜図面を参照しながら説明する。同様の部分には同一符号を付し、重複する説明を省略する。
【００１０】
＜第一の実施形態＞
まず、本発明の第一の実施形態に係るセキュリティ解除装置を備えたセキュリティ解除システムについて説明する。図１は、本発明の第一の実施形態に係るセキュリティ解除装置を備えたセキュリティ解除システムを説明するための模式図である。
【００１１】
図１に示すように、本発明の第一の実施形態に係るセキュリティ解除システムが設置される建物は、通行路１１、エレベータ１２、通行路１３及び設備１４を備える。また、建物は、外部と通行路１１との間に設けられた扉２１と、通行路１１とエレベータ１２との間に設けられた扉２２と、エレベータ１２と通行路１３との間に設けられた扉２３と、通行路１３と設備１４との間に設けられた扉２４と、を備える。扉２１，２４は、後記するセキュリティ解除信号の入力を受けた場合にのみ、利用者Ｐが通行可能なように開く。扉２１，２４としては、自動ドア、電気錠を有する扉、開閉ゲート等が挙げられる。
【００１２】
なお、エレベータ１２は、エレベータ制御装置ＥＣによって駆動制御される。エレベータ制御装置ＥＣは、エレベータ駆動用ボタン１２ａ，１２ｂ，１２ｃからの入力に基づいて、エレベータ１２及び扉２２，２３を駆動制御する。本実施形態において、エレベータ制御装置ＥＣは、後記するセキュリティ解除信号の入力を受けた場合にのみ、エレベータ駆動用ボタン１２ａ，１２ｂ，１２ｃの操作を利用者Ｐに対して許可し、利用者Ｐからの入力に応じて、エレベータ１２及び扉２２，２３を利用者Ｐが通行可能なように駆動する。すなわち、扉２２，２３は、エレベータ制御装置ＥＣが後記するセキュリティ解除信号の入力を受けた場合にのみ、利用者Ｐが通行可能なように開く。
【００１３】
本発明の第一の実施形態に係るセキュリティ解除システムは、認証装置３１と、認証装置３２と、認証装置３３と、認証装置３４と、認証装置３５と、認証装置３６と、認証装置３７と、設備予約端末４０と、セキュリティ解除装置５０と、を備える。なお、建物内を通行する利用者Ｐは、認証装置３１〜３７による認証のために、非接触ＩＣタグ６０を携帯する。そして、非接触ＩＣタグ６０に記憶された固有のタグＩＤが、特許請求の範囲における「利用者のＩＤ」として用いられる。
【００１４】
認証装置３１は、扉２１に対応して外部に設置された非接触ＩＣタグリーダである。認証装置３１は、利用者Ｐによって非接触ＩＣタグ６０が近づけられると、非接触ＩＣタグ６０からタグＩＤを読み取り、読み取られたタグＩＤをセキュリティ解除装置５０に出力する。
【００１５】
認証装置３２は、扉２１に対応して通行路１１に設置された非接触ＩＣタグリーダである。認証装置２１は、利用者Ｐによって非接触ＩＣタグ６０が近づけられると、非接触ＩＣタグ６０からタグＩＤを読み取り、読み取られたタグＩＤをセキュリティ解除装置５０に出力する。
【００１６】
認証装置３３は、エレベータ駆動用ボタン１２ａ、詳しくは、扉２２に対応して通行路１１に設置された非接触ＩＣタグリーダである。認証装置３３は、利用者Ｐによって非接触ＩＣタグ６０が近づけられると、非接触ＩＣタグ６０からタグＩＤを読み取り、読み取られたタグＩＤをセキュリティ解除装置５０に出力する。
【００１７】
認証装置３４は、エレベータ１２のかご内のエレベータ駆動用ボタン１２ｂ、詳しくは、扉２２及び扉２３に対応してエレベータ１２のかご内に設置された非接触ＩＣタグリーダである。認証装置３４は、利用者Ｐによって非接触ＩＣタグ６０が近づけられると、非接触ＩＣタグ６０からタグＩＤを読み取り、読み取られたタグＩＤをセキュリティ解除装置５０に出力する。
【００１８】
認証装置３５は、エレベータ駆動用ボタン１２ｃ、詳しくは、扉２３に対応して通行路１３に設置された非接触ＩＣタグリーダである。認証装置３５は、利用者Ｐによって非接触ＩＣタグ６０が近づけられると、非接触ＩＣタグ６０からタグＩＤを読み取り、読み取られたタグＩＤをセキュリティ解除装置５０に出力する。
【００１９】
認証装置３６は、扉２４に対応して通行路１３に設置された非接触ＩＣタグリーダである。認証装置３６は、利用者によって非接触ＩＣタグ６０が近づけられると、非接触ＩＣタグ６０からタグＩＤを読み取り、読み取られたタグＩＤをセキュリティ解除装置５０に出力する。
【００２０】
認証装置３７は、扉２４に対応して設備１４に設置された非接触ＩＣタグリーダである。認証装置３７は、利用者Ｐによって非接触ＩＣタグ６０が近づけられると、非接触ＩＣタグ６０からタグＩＤを読み取り、読み取られたタグＩＤをセキュリティ解除装置５０に出力する。
【００２１】
設備予約端末４０は、管理者によって操作されることにより、設備予約情報の入力を受ける。設備予約情報は、予約される設備と、予約開始時刻と、予約終了時刻と、設備を使用可能な利用者のＩＤ（タグＩＤ）と、を含む。この設備予約情報は、ネットワークＮＷを介してセキュリティ解除装置５０に出力される。
【００２２】
ネットワークＮＷは、ローカルネットワークのみで構成されてもよく、ローカルネットワーク及びグローバルネットワークの両方で構成されてもよい。ネットワークＮＷがローカルネットワークのみで構成される場合には、設備予約端末４０及びセキュリティ解除装置５０は、ネットワークケーブル、ＨＵＢ等を介して通信を行う。ネットワークＮＷがローカルネットワーク及びグローバルネットワークの両方で構成される場合には、設備予約端末及びセキュリティ解除装置５０は、ネットワークケーブル、ＨＵＢ、ルータ等を介して通信を行う。この場合には、建物の内部者又は管理者が設備を予約することができるだけでなく、建物の外部者もグローバルネットワークを介して設備を予約することができる。
【００２３】
続いて、本発明の第一の実施形態に係るセキュリティ解除装置について説明する。図２は、本発明の第一の実施形態に係るセキュリティ解除装置を示すブロック図である。図２に示すように、セキュリティ解除装置５０は、Ｉ／Ｆ部５１と、制御部５２と、を備えている。
【００２４】
Ｉ／Ｆ部５１は、複数のポートを備えており、これらのポートは、通信線（図示せず）を介して、扉２１，２４、認証装置３１〜３７、設備予約端末３８及びエレベータ制御装置ＥＣと接続されている。セキュリティ制御装置５０は、どのポートから入力を受けたかに基づいて、どこからデータが来たのかを識別することができる。
【００２５】
制御部５２は、例えば、ＣＰＵ、ＲＡＭ、ＲＯＭ及び入出力回路を備えており、機能部として、ＩＤ取得部５２ａと、データ管理部５２ｂと、データ記憶部５２ｃと、セキュリティ解除判定部５２ｄと、セキュリティ解除信号出力部５２ｅと、を備えている。
【００２６】
ＩＤ取得部５２ａは、Ｉ／Ｆ部５１を介して、認証装置３１〜３７から出力されたタグＩＤを取得する。取得された利用者ＩＤは、セキュリティ解除判定部５２ｄに出力される。
【００２７】
データ管理部５２ｂは、Ｉ／Ｆ部５１を介して、設備予約端末５２ｂから出力された設備予約情報を取得し、取得された設備予約情報に基づいて、データ記憶部５２ｃ内のデータを管理する。
【００２８】
データ記憶部５２ｃは、特許請求の範囲における「予約内容記憶部」の一例であり、初期データベース５２ｃ１と、予約データベース５２ｃ２と、解除許可用データベース５２ｃ３と、判定用データベース５２ｃ４と、を備えている。
図３（ａ）は、初期データベースの一例を示す図、図３（ｂ）は、予約データベースの一例を示す図である。図４（ａ）は、解除許可用データベースの一例を示す図、図４（ｂ）は、判定用データベースの一例を示す図である。なお、図４（ｂ）は、図３（ｂ）の１行目の予約時間帯における判定用データベースを示す図である。ここで、図３及び図４において、「○」印は、当該認証装置が対応する扉又はエレベータ駆動用ボタンのセキュリティを解除することを表し、「×」印は、当該認証装置が対応する扉又はエレベータ駆動用ボタンのセキュリティを解除しないことを表す。また、非接触ＩＣタグ６０として、非接触ＩＣタグ６１，６２，６３，６４，…が存在するものとする。
【００２９】
図３（ａ）に示すように、初期データベース５２ｃ１は、タグ種別データと、タグＩＤデータと、各認証装置に対するセキュリティ解除の可否と、を関連付けたデータベースである。
タグＩＤデータは、各非接触ＩＣタグ６１〜６４，…に固有のデータであり、特許請求の範囲における「利用者のＩＤ」の一例である。
タグ種別データは、非接触ＩＣタグ６１〜６４，…をグループ分けすることによって形成された各グループに固有のデータである。内部者である利用者Ｐは、タグ種別データが「１１１１」又は「１１１２」である非接触ＩＣタグを携帯して建物内を移動する。外部者である利用者Ｐは、タグ種別データが「９９９９」である非接触ＩＣタグを携帯して建物内を移動する。管理者である利用者Ｐは、タグ種別データが「００００」である非接触ＩＣタグを携帯して建物内を移動する。
【００３０】
図３（ｂ）に示すように、予約データベース５２ｃ２は、設備予約情報を記憶するデータベースであり、設備ごとに、予約開始時刻と、予約終了時刻と、設備を使用可能な利用者のＩＤすなわちタグＩＤデータと、を関連付けたデータベースである。
【００３１】
図４（ａ）に示すように、解除許可用データベース５２ｃ３は、設備ごとに、あるタグ種別データの非接触ＩＣタグ６０を携帯する利用者Ｐが当該設備を予約した場合における、各認証装置に対するセキュリティ解除の可否を記憶するデータベースである。
【００３２】
図４（ｂ）に示すように、判定用データベース５２ｃ４は、タグ種別データと、タグＩＤデータと、各認証装置に対するセキュリティ解除の可否と、を関連付けたデータベースである。なお、設備の予約時間帯外では、判定用データベース５２ｃ４は、初期データベース５２ｃ１と同一のデータ（図３（ａ）参照）を有する。
【００３３】
図２に示すように、データ管理部５２ｂは、予約開始時刻及び予約終了時刻に基づいて、初期データベース５２ｃ１、予約データベース５２ｃ２及び解除許可用データベース５２ｃ３を用いて、判定用データベース５２ｃ４を書き換える。すなわち、予約開始時刻を経過した場合には、データ管理部５２ｂは、予約データベース５２ｃ２及び解除許可用データベース５２ｃ３を用いて、判定用データベース５２ｃ４を、図３（ａ）の状態から図４（ｂ）の状態へと書き換える。また、予約終了時刻を経過した場合には、データ管理部５２ｂは、初期データベース５２ｃ１を用いて、判定用データベース５２ｃ４を、図４（ｂ）の状態から図３（ａ）の状態へと書き換える。
【００３４】
セキュリティ解除判定部５２ｄは、ＩＤ取得部５２ａによって取得された利用者ＩＤと、データ記憶部５２ｃ内のデータと、に基づいて、セキュリティを解除するか否かを判定する。詳細には、セキュリティ解除判定部５２ｄは、ＩＤ取得部５２ａによって取得された利用者のＩＤを用いて判定用データベース５２ｃ４を参照し、セキュリティを解除するか否かを判定する。セキュリティを解除すると判定された場合には、その旨がセキュリティ解除信号出力部５２ｅに出力される。
【００３５】
セキュリティ解除信号出力部５２ｅは、セキュリティ解除判定部５２ｄの判定結果に基づいて、判定結果がセキュリティを解除するという内容である場合に、セキュリティ解除信号を扉２１，２４及びエレベータ制御装置ＥＣのいずれかに出力する。セキュリティ解除信号の入力を受けた扉２１，２４は、利用者Ｐが通行可能となるように開き、セキュリティ解除信号の入力を受けたエレベータ制御装置ＥＣは、利用者Ｐが通行可能となるように、エレベータ駆動用ボタン１２ａ，１２ｂ，１２ｃの操作を許可する。
【００３６】
＜動作例＞
続いて、本発明の第一の実施形態に係るセキュリティ解除装置の動作例について説明する。図５は、本発明の第一の実施形態に係るセキュリティ解除装置の動作例について説明するためのフローチャートである。
【００３７】
図５に示すように、まず、データ管理部５２ｂが、設備予約端末４０から設備予約情報を取得する場合には（ステップＳ１でＹｅｓ）、データ管理部５２ｂが、取得された設備予約情報を予約データベース５２ｃ２に記憶させる（ステップＳ２）。
ステップＳ１でＮｏの場合、又は、ステップＳ２の実行後、データ管理部５２ｂが、予約開始時刻又は予約終了時刻を過ぎたか否かを判定する（ステップＳ３）。
ステップＳ３でＹｅｓの場合には、データ管理部５２ｂが、予約データベース５２ｃ２内の設備予約情報を用いて判定用データベース５２ｃ４を書き換える（ステップＳ４）。
ステップＳ３でＮｏの場合、又は、ステップＳ４の実行後、ＩＤ取得部５２ａが利用者のＩＤを取得する場合には（ステップＳ５でＹｅｓ）、セキュリティ解除判定部５２ｄが、判定用データベース５２ｃ４を用いて、セキュリティを解除するか否かを判定する（ステップＳ６）。
セキュリティを解除すると判定された場合には（ステップＳ６でＹｅｓ）、セキュリティ解除信号出力部５２ｅが、対応する扉又はエレベータ制御装置にセキュリティ解除信号を出力する（ステップＳ７）。
ステップＳ５でＮｏの場合、ステップＳ６でＮｏの場合、又は、ステップＳ７の実行後、一連の動作が終了する。
【００３８】
かかる構成によると、内部者である利用者Ｐは、設備１４の予約開始時刻前には、設備１４には出入りできないが設備１４以外の場所を移動することができ、設備１４の予約開始時刻後から予約終了時刻前までは、設備１４に出入りすることができ、予約終了時刻後には、設備１４に出入りできないが設備１４以外の場所を移動することができる。すなわち、内部者である利用者Ｐは、予約終了時刻までに設備１４外へ移動する必要がある。
【００３９】
一方、外部者である利用者Ｐは、設備１４の予約開始時刻前には、外部から通行路１１へ入ることができず、設備１４の予約開始時刻後から予約終了時刻前までは、外部から通行路１１、エレベータ１２及び通行路１３を介して設備１４に出入りすることができ、予約終了時刻後には、外部から通行路１１へ入ることができなくなる。すなわち、外部者である利用者Ｐは、予約終了時刻までに外部へ移動する必要がある。
【００４０】
したがって、本発明の第一の実施形態に係るセキュリティ解除装置５０は、設備予約情報に基づいて、必要な時間に必要な場所にだけ利用者Ｐが移動可能な状況を作り出すことができる。
【００４１】
＜第二の実施形態＞
続いて、本発明の第二の実施形態に係るセキュリティ解除装置について、第一の実施形態に係るセキュリティ解除装置５０との相違点を中心に説明する。図６は、本発明の第二の実施形態に係るセキュリティ解除装置を示すブロック図である。図７（ａ）は、予約時間帯データベースの一例を示す図、図７（ｂ）は、予約時間外データベースの一例を示す図である。
【００４２】
図６に示すように、本発明の第二の実施形態に係るセキュリティ解除装置１５０の制御部１５２に設けられたデータ記憶部１５２ｃは、判定用データベース５２ｃ４を備えていない。また、第二の実施形態に係るデータ記憶部１５２ｃは、解除許可用データベース５２ｃ３に代えて、予約時間帯データベース５２ｃ５、予約時間外データベース５２ｃ６及び解除許可用データベース５２ｃ７をさらに備えている。
【００４３】
図７（ａ）に示すように、第二の実施形態に係る予約時間帯データベース５２ｃ５は、第一の実施形態に係る解除許可用データベース５２ｃ３と同一であり、設備が予約された場合における、各認証装置に対するセキュリティ解除の可否を記憶するデータベースである。
また、図７（ｂ）に示すように、第二の実施形態に係る予約時間外データベース５２ｃ６は、設備の予約時間外における、各認証装置に対するセキュリティ解除の可否を記憶するデータベースである。
【００４４】
第二の実施形態に係るセキュリティ解除部５２ｄは、予約データベース５２ｃ２、予約時間帯データベース５２ｃ５及び予約時間外データベース５２ｃ６を用いて解除許可用データベース５２ｃ７を書き換える。すなわち、予約開始時刻を経過した場合には、データ管理部５２ｂは、予約データベース５２ｃ２及び予約時間帯データベース５２ｃ５を用いて、解除許可用データベース５２ｃ７を、図７（ｂ）の状態から図７（ａ）の状態へと書き換える。また、予約終了時刻を経過した場合には、データ管理部５２ｂは、予約時間外データベース５２ｃ６を用いて、判定用データベース５２ｃ７を、図７（ａ）の状態から図７（ｂ）の状態へと書き換える。すなわち、解除許可用データベース５２ｃ７は、予約時間帯においては、図７（ａ）の予約時間帯データベース５２ｃ５と同一であり、予約時間外においては、図７（ｂ）の予約時間外データベース５２ｃ６と同一である。
この際、セキュリティ解除判定部５２ｄは、初期データベース５２ｃ１を参照することによってタグＩＤとタグ種別データとの関係を認識し、この関係を、予約データベース５２ｃ２を用いて解除許可用データベース５２ｃ３を更新する際に利用する。
なお、初期データベース５２ｃ１と予約時間外データベース５２ｃ６とはほぼ同一であるので、予約時間外データベース５２ｃ６を省略するとともにセキュリティ解除判定部５２ｄが初期データベース５２ｃ１を用いて解除許可用データベース５２ｃ７を書き換える構成であってもよい。
【００４５】
第二の実施形態に係るセキュリティ解除判定部５２ｄは、まず、初期データベース５２ｃ１を参照して、セキュリティを解除するか否かを判定する。そして、初期データベース５２ｃ１による判定においてセキュリティを解除しないと判定された場合には、セキュリティ解除判定部５２ｄは、解除許可用データベース５２ｃ７を参照して、セキュリティを解除するか否かを再度判定する。この際、セキュリティ解除判定部５２ｄは、初期データベース５２ｃ１を参照することによってタグＩＤとタグ種別データとの関係を認識し、この関係を、解除許可用データベース５２ｃ７を参照する際に利用する。セキュリティを解除すると判定された場合には、その旨がセキュリティ解除信号出力部５２ｅに出力される。
【００４６】
＜動作例＞
続いて、本発明の第二の実施形態に係るセキュリティ解除装置の動作例について説明する。図８は、本発明の第二の実施形態に係るセキュリティ解除装置の動作例を説明するためのフローチャートである。
【００４７】
図８に示すように、まず、データ管理部５２ｂが、設備予約端末４０から設備予約情報を取得する場合には（ステップＳ１１でＹｅｓ）、データ管理部５２ｂが、取得された設備予約情報を予約データベース５２ｃ２に記憶させる（ステップＳ１２）。
ステップＳ１１でＮｏの場合、又は、ステップＳ１２の実行後、ＩＤ取得部５２ａが利用者のＩＤを取得する場合には（ステップＳ１３でＹｅｓ）、セキュリティ解除判定部５２ｄが、初期データベース５２ｃ１を用いて、セキュリティを解除するか否かを判定する（ステップＳ１４）。
セキュリティを解除しないと判定された場合には（ステップＳ１４でＮｏ）、セキュリティ解除判定部５２ｄが、解除許可用データベース５２ｃ７を用いて、セキュリティを解除するか否かを判定する（ステップＳ１５）。
セキュリティを解除すると判定された場合には（ステップＳ１４でＹｅｓ又はステップＳ１５でＹｅｓ）、セキュリティ解除信号出力部５２ｅが、対応する扉又はエレベータ制御装置にセキュリティ解除信号を出力する（ステップＳ１６）。
ステップＳ１３でＮｏの場合、ステップＳ１５でＮｏの場合、又は、ステップＳ１６の実行後、一連の動作が終了する。
【００４８】
かかる構成によると、内部者である利用者Ｐは、設備１４の予約開始時刻前には、設備１４には出入りできないが設備１４以外の場所を移動することができ、設備１４の予約開始時刻後から予約終了時刻前までは、設備１４に出入りすることができ、予約終了時刻後には、設備１４に出入りできないが設備１４以外の場所を移動することができる。すなわち、内部者である利用者Ｐは、予約終了時刻までに設備１４外へ移動する必要がある。
【００４９】
一方、外部者である利用者Ｐは、設備１４の予約開始時刻前には、外部から通行路１１へ入ることができず、設備１４の予約開始時刻後から予約終了時刻前までは、外部から通行路１１、エレベータ１２及び通行路１３を介して設備１４に出入りすることができ、予約終了時刻後には、外部から通行路１１へ入ることができなくなる。すなわち、外部者である利用者Ｐは、予約終了時刻までに外部へ移動する必要がある。
【００５０】
したがって、本発明の第二の実施形態に係るセキュリティ解除装置１５０は、設備予約情報に基づいて、必要な時間に必要な場所にだけ利用者Ｐが移動可能な状況を作り出すことができる。
【００５１】
＜第三の実施形態＞
続いて、本発明の第三の実施形態に係るセキュリティ解除システムについて、第二の実施形態に係るセキュリティ解除システムとの相違点を中心に説明する。図９は、本発明の第三の実施形態に係るセキュリティ解除装置を備えたセキュリティ解除システムを説明するための模式図である。
【００５２】
図９に示すように、本発明の第三の実施形態に係るセキュリティ解除システムが設置される建物は、エリア１５Ａ及びエリア１５Ｂをさらに備えるとともに、エレベータ１２に代えてエレベータ１２Ａ及びエレベータ１２Ｂを備える。
また、建物は、通行路１１とエリア１５Ａとの間に設けられた扉２５Ａと、通行路１１とエリア１５Ｂとの間に設けられた扉２５Ｂと、をさらに備えるとともに、扉２２及び扉２３に代えて、エリア１５Ａとエレベータ１２Ａとの間に設けられた扉２２Ａと、エリア１５Ｂとエレベータ１２Ｂとの間に設けられた扉２２Ｂと、エレベータ１２Ａと通行路１３との間に設けられた扉２３Ａと、エレベータ１２Ｂと通行路１３との間に設けられた扉２３Ｂと、を備える。
扉２５Ａ，２５Ｂは、セキュリティ解除信号の入力を受けた場合にのみ、利用者Ｐが通行可能なように開く。扉２５Ａ，２５Ｂとしては、自動ドア、電気錠を有する扉、開閉ゲート等が挙げられる。
【００５３】
なお、エレベータ１２Ａ，１２Ｂは、それぞれエレベータ制御装置ＥＣ１，ＥＣ２によって駆動制御される。エレベータ制御装置ＥＣ１は、エレベータ駆動用ボタン１２Ａａ，１２Ａｂ，１２Ａｃからの入力に基づいて、エレベータ１２Ａ及び扉２２Ａ，２３Ａを駆動制御する。また、エレベータ制御装置ＥＣ２は、エレベータ駆動用ボタン１２Ｂａ，１２Ｂｂ，１２Ｂｃからの入力に基づいて、エレベータ１２Ｂ及び扉２２Ｂ，２３Ｂを駆動制御する。
本実施形態において、エレベータ制御装置ＥＣ１，ＥＣ２は、セキュリティ解除信号の入力を受けた場合にのみ、エレベータ駆動用ボタン１２Ａａ，１２Ａｂ，１２Ａｃ，１２Ｂａ，１２Ｂｂ，１２Ｂｃの操作を利用者Ｐに対して許可し、利用者Ｐからの入力に応じて、エレベータ１２Ａ，１２Ｂ及び扉２２Ａ，２３Ａ，２２Ｂ，２３Ｂを利用者Ｐが通行可能なように駆動する。
【００５４】
図１０は、初期データベースの一例を示す図、図１１は、予約時間帯データベースの一例を示す図、図１２は、予約時間外データベースの一例を示す図である。
【００５５】
図１０に示すように、第三の実施形態に係る初期データベース５２ｃ１は、タグ種別データと、タグＩＤデータと、各認証装置に対するセキュリティ解除の可否と、を関連付けたデータベースである。エリア１５Ａに配置された内部者である利用者Ｐは、タグ種別データが「１１１１」である非接触ＩＣタグを携帯して建物内を移動する。エリア１５Ｂに配置された内部者である利用者Ｐは、タグ種別データが「１１１２」である非接触ＩＣタグを携帯して建物内を移動する。外部者である利用者Ｐは、タグ種別データが「９９９９」である非接触ＩＣタグを携帯して建物内を移動する。管理者である利用者Ｐは、タグ種別データが「００００」である非接触ＩＣタグを携帯して建物内を移動する。
【００５６】
図１１に示すように、第三の実施形態に係る予約時間帯データベース５２ｃ５は、第一の実施形態に係る解除許可用データベース５２ｃ３と同一であり、設備が予約された場合における、各認証装置に対するセキュリティ解除の可否を記憶するデータベースである。
また、図１２に示すように、第三の実施形態に係る予約時間外データベース５２ｃ６は、設備の予約時間外における、各認証装置に対するセキュリティ解除の可否を記憶するデータベースである。
【００５７】
第三の実施形態に係るセキュリティ解除部５２ｄは、予約データベース５２ｃ２、予約時間帯データベース５２ｃ５及び予約時間外データベース５２ｃ６を用いて解除許可用データベース５２ｃ７を書き換える。すなわち、予約開始時刻を経過した場合には、データ管理部５２ｂは、予約データベース５２ｃ２及び予約時間帯データベース５２ｃ５を用いて、解除許可用データベース５２ｃ７を、図１２の状態から図１１の状態へと書き換える。また、予約終了時刻を経過した場合には、データ管理部５２ｂは、予約時間外データベース５２ｃ６を用いて、判定用データベース５２ｃ７を、図１１の状態から図１２の状態へと書き換える。すなわち、解除許可用データベース５２ｃ７は、予約時間帯においては、図１１の予約時間帯データベース５２ｃ５と同一であり、予約時間外においては、図１２の予約時間外データベース５２ｃ６と同一である。
この際、セキュリティ解除判定部５２ｄは、初期データベース５２ｃ１を参照することによってタグＩＤとタグ種別データとの関係を認識し、この関係を、予約データベース５２ｃ２を用いて解除許可用データベース５２ｃ３を更新する際に利用する。
なお、初期データベース５２ｃ１と予約時間外データベース５２ｃ６とはほぼ同一であるので、予約時間外データベース５２ｃ６を省略するとともにセキュリティ解除判定部５２ｄが初期データベース５２ｃ１を用いて解除許可用データベース５２ｃ７を書き換える構成であってもよい。
【００５８】
かかる構成によると、エリア１５Ａに配置された内部者である利用者Ｐは、設備１４の予約開始時刻前には、設備１４には出入りできないが通行路１１及びエリア１５Ａを移動することができ、設備１４の予約開始時刻後から予約終了時刻前までは、設備１４に出入りすることができ、予約終了時刻後には、設備１４に出入りできないが通行路１１及びエリア１５Ａを移動することができる。また、エリア１５Ａに配置された内部者である利用者Ｐは、設備１４の予約の有無にかかわらず、エリア１５Ｂに出入りできない。すなわち、エリア１５Ａに配置された内部者である利用者Ｐは、予約終了時刻までにエリア１５Ａまで戻る必要がある。
【００５９】
また、エリア１５Ｂに配置された内部者である利用者Ｐは、設備１４の予約開始時刻前には、設備１４には出入りできないが通行路１１及びエリア１５Ｂを移動することができず、設備１４の予約開始時刻後から予約終了時刻前までは、設備１４に出入りすることができ、予約終了時刻後には、設備１４に出入りできないが通行路１１及びエリア１５Ｂを移動することができる。また、エリア１５Ｂに配置された内部者である利用者Ｐは、設備１４の予約の有無にかかわらず、エリア１５Ａに出入りできない。すなわち、エリア１５Ｂに配置された内部者である利用者Ｐは、予約終了時刻までにエリア１５Ｂまで戻る必要がある。
【００６０】
一方、外部者である利用者Ｐは、設備１４の予約開始時刻前には、外部から通行路１１へ入ることができず、設備１４の予約開始時刻後から予約終了時刻前までは、外部から通行路１１、エリア１５Ａ、エレベータ１２及び通行路１３を介して設備１４に出入りすることができ、予約終了時刻後には、外部から通行路１１へ入ることができなくなる。また、外部者である利用者Ｐは、設備１４の予約の有無にかかわらず、エリア１５Ｂに出入りできない。すなわち、外部者である利用者Ｐは、予約終了時刻までに外部へ移動する必要がある。
【００６１】
したがって、本発明の第三の実施形態に係るセキュリティ解除装置１５０は、設備予約情報に基づいて、必要な時間に必要な場所にだけ利用者Ｐが移動可能な状況を作り出すことができる。
【００６２】
以上、本発明の実施形態について説明したが、本発明は前記実施形態に限定されず、本発明の要旨を逸脱しない範囲で適宜設計変更可能である。
例えば、利用者の認証は、非接触ＩＣタグ及び非接触ＩＣタグリーダによるものに限定されず、暗証番号、指紋認証又はこれらの組み合わせ等が利用者の認証として利用可能である。
また、利用者Ｐが設備まで移動するのに要する時間を考慮して、設備予約開始時刻の所定時間前から設備予約終了時刻の所定時間後まで、セキュリティを解除する構成であってもよい。
【００６３】
また、設備予約終了時刻後において、利用者Ｐが設備から退出する方向のみに移動可能なように判定する構成であってもよい。その際に、第一及び第二の実施形態に係る認証装置３２，３５，３７並びに第三の実施形態に係る認証装置３８，３９Ａ，３９Ｂ，３５Ａ，３５Ｂ，３７を省略するとともに、退出時において、第一及び第二の実施形態に係るエレベータ駆動用ボタン１２ｂ並びに第三の実施形態に係るエレベータ駆動用ボタン１２Ａｂ，１２Ｂｂの操作を、第一及び第二の実施形態に係る認証装置３４並びに第三の実施形態に係る認証装置３４Ａ，３４Ｂにおける認証なしでも可能とすることによって、利用者Ｐが設備から退出する際の認証を不要とすることができる。
【００６４】
第二及び第三の実施形態に係るセキュリティ解除装置１５０は、建物の利用者が日々変わったり、利用する非接触ＩＣタグが増減したりすることによって、初期データベース５２ｃ１が変化する場合でも、それに伴って解除許可用データベース５２ｃ７を書き換える必要がないので、施設が複数存在する場合に好適である。また、第一の実施形態に係るセキュリティ解除装置５０は、一つのデータベース、すなわち、判定用データベース５２ｃ４のみに基づいて判定を行うことができるので、判定速度を向上させることができ、施設が一つである場合に好適である。
【００６５】
また、解除許可用データベース５２ｃ３、判定用データベース５２ｃ４、予約時間帯データベース５２ｃ５、予約時間外データベース５２ｃ６及び解除許可用データベース５２ｃ７は、タグＩＤをタグ種別データ等と関連付けて記憶する構成であってもよい。
【００６６】
また、本発明は、コンピュータを前記したセキュリティ解除装置として機能させるプログラムとして具現化することも可能である。
【符号の説明】
【００６７】
２１，２２，２２Ａ，２２Ｂ，２３，２３Ａ，２３Ｂ，２４，２５Ａ，２５Ｂ  扉
３１，３２，３３，３３Ａ，３３Ｂ，３４，３４Ａ，３４Ｂ，３５，３５Ａ，３５Ｂ，３６，３７，３８Ａ，３８Ｂ，３９Ａ，３９Ｂ  認証装置
５０，１５０  セキュリティ解除装置
５２ａ  ＩＤ取得部
５２ｃ，１５２ｃ  データ記憶部（予約内容記憶部）
５２ｄ  セキュリティ解除判定部
５２ｅ  セキュリティ解除信号出力部
【図１】
0005358001.tif 000002
【図２】
0005358001.tif 000003
【図３】
0005358001.tif 000004
【図４】
0005358001.tif 000005
【図５】
0005358001.tif 000006
【図６】
0005358001.tif 000007
【図７】
0005358001.tif 000008
【図８】
0005358001.tif 000009
【図９】
0005358001.tif 000010
【図１０】
0005358001.tif 000011
【図１１】
0005358001.tif 000012
【図１２】
0005358001.tif 000013